(57)【要約】      （修正有）【課題】寝心地が良く、通気性を保ちながら使い勝手が向上した寝具用マットを提供する。【解決手段】弾性合成樹脂からなる連続線条体を曲がりくねらせ多数の線条体ループを形成し、前記線条体ループが相互に接合された三次元立体構造網状体５を外カバー２内部に収容した寝具用マットにおいて、前記三次元立体構造網状体５の設置側の面又は当接側の面のいずれか一方の面の一部を残して全体を収容する袋状で、連続線条体の端部が貫通しない強度を有する内カバー４を設けてなる寝具用マット。【選択図】図２
2014133047.tif 000002
【特許請求の範囲】
【請求項１】
弾性合成樹脂からなる連続線条体を曲がりくねらせ多数の線条体ループを形成し、前記線条体ループが相互に接合された三次元立体構造網状体を外カバー内部に収容した寝具用マットにおいて、前記三次元立体構造網状体の設置側の面又は当接側の面のいずれか一方の面の一部を残して全体を収容する袋状で、連続線条体の端部が貫通しない強度を有する内カバーを設けてなることを特徴とする寝具用マット。
【請求項２】
前記外カバーは独立した複数の収容部からなり、三次元立体構造網状体に内カバーを装着した状態で前記収容部に出し入れ可能とした請求項1に記載の寝具用マット。
【請求項３】
前記内カバーは、内カバー厚みが1〜30センチメートルである請求項1又は請求項2に記載の寝具用マット。
【請求項４】
前記内カバーは、繊維間の隙間が0.01〜0.9ミリメートルである請求項1〜請求項3のいずれか1項に記載の寝具用マット。
【発明の詳細な説明】
【技術分野】
【０００１】
本発明は、寝具用マットに関するものであり、特に三次元立体構造網状体を用いた寝具用マットに関する。
【背景技術】
【０００２】
従来、弾性合成樹脂からなるモノフイラメントが不規則にカールされあるいは屈曲されて錯綜した３次元の立体網状構造をなし、かつ前記フィラメントが交絡点で相互に接合された所定厚みの弾性体からからなるマットが用いられている。
【０００３】
しかし、従来のこの種類のマットでは、フィラメントの端部は固い棒状であるために、マットを網状の外カバーで覆ってもフィラメントがカバー材を貫通してしまい、使用時に皮膚を刺激してしまう場合があった。
【先行技術文献】
【特許文献】
【０００４】
【特許文献１】実開平２−１８３００
【発明の開示】
【発明が解決しようとする課題】
【０００５】
本発明は、上記の事情に鑑みてなされたもので、寝心地が良く、通気性を保ちながら使い勝手が向上した寝具用マットの提供を目的とする。
【課題を解決するための手段】
【０００６】
前記課題を解決するため請求項1記載の発明にあっては、弾性合成樹脂からなる連続線条体を曲がりくねらせ多数の線条体ループを形成し、前記線条体ループが相互に接合された三次元立体構造網状体を外カバー内部に収容した寝具用マットにおいて、前記三次元立体構造網状体の設置側の面又は当接側の面のいずれか一方の面の一部を残して全体を収容する袋状で、連続線条体の端部が貫通しない強度を有する内カバーを設けてなる。
【０００７】
請求項2記載の発明にあっては、外カバーは独立した複数の収容部からなり、三次元立体構造網状体に内カバーを装着した状態で前記収容部に出し入れ可能としてなる。
【０００８】
請求項３記載の発明にあっては、内カバーは、内カバー厚みが2〜30センチメートルとしてなる。
【０００９】
請求項４記載の発明にあっては、内カバーは、繊維間の隙間が0.01〜0.9ミリメートルとしてなる。
【発明の効果】
【００１０】
本発明によれば、寝心地が良く、通気性を保ちながら使い勝手が向上した寝具用マットの提供が可能となる。
【発明を実施するための最良の形態】
【００１１】
以下、本発明の一実施形態である寝具用マットを図に従って説明する。図１は本発明で用いられる寝具用マットの全体図を示し、図２は図1の内部を説明するための図である。
図３は本発明のクッション体（三次元立体構造網状体と内カバー）の図であり、図4は図3の底面図である。
【００１２】
（第一の実施形態）
図1及び図2に示すように、本発明の寝具用マットは主に外カバー2と三次元立体構造網状体5に内カバー4を装着したクッション体3とからなっている。
【００１３】
外カバー2はポリエステルなどからなる通気性に優れたメッシュ状の生地からなり、後述するクッション体を収容可能な独立した複数の収容部13を設けた袋状カバーで、それぞれの収容部は矩形形状となるように縫製されている。そして、クッション体3を出し入れ可能なように、それぞれの収容部の短手側面にはファスナー15が備えられている。本実施形態では、3つの収容部を備え、それぞれにファスナーが備えられている。
【００１４】
そして、3つの収容部13は、長手方向の側面で連結片16によって連結されている。連結片は一方が設置面（床側）側に、そして他方が当接面（人側）側に設けてある。それによって、厚みのあるマットが3つ折り可能なように構成されている。
【００１５】
また、外カバー２には多数のメッシュ孔が設けられている。メッシュ孔は円形孔、楕円形孔、矩形孔などからなり、孔の径は2〜3ミリメートル程度で通気性に優れた外カバーである。
【００１６】
加えて、外カバー2の内部にはクッション体3が収容されている。クッション体3は三次元立体構造網状体5に内カバー4を装着したものである。
【００１７】
三次元立体構造網状体５は弾性のある弾性合成樹脂（ポリエーテルエステル系繊維など）からなり、弾性合成樹脂からなる中実または中空な連続線条体を曲がりくねらせ多数の線条体ループを形成し、線条体ループが相互に接合されてなる。ここで、接合とは融着と接着を含んでいる。もし、強度的にも問題がなく、必要な弾性力、通気性などを得ることができる場合には、接合のない三次元立体構造網状体とすることもできる。
【００１８】
線条体ループ51の線径は、約1ミリメートル程度に設定され、三次元立体構造網状体5の側面を中心に線条体ループの端部が存在している。三次元立体構造網状体5は矩形形状で厚みは1センチメートルから30センチメートル程度の平板状とすることができるが、望ましくは数センチ（2〜3センチメートル）から10センチメートル程度のものが様々な特性上好ましい。また、三次元立体構造網状体の密度は20〜40ｋｇ／ｍ3程度が望ましい。
【００１９】
そして、三次元立体構造網状体5には内カバー4が装着されている。内カバー4は三次元立体構造網状体の設置側の面（床側）又は当接側の面（体側）のいずれか一方の面の一部を残して全体を収容する袋状であって、連続線条体の端部が貫通しない強度を有する。
【００２０】
内カバーは、内カバー全体の厚みＨが1〜30センチメートル程度で、図4に示した繊維の拡大図が示すように、内カバーを構成している繊維の繊維間の隙間が0.01〜0.9ミリメートルで連続線条体の端部が貫通しない強度を有している。なお、その場合の内カバーの繊維の径は糸1が0.2ミリメートル前後、糸2が0.25ミリメートル前後で、それぞれの糸が格子状に編まれている。前記の隙間は、その場合の格子間に生じた隙間の長さ（ａとｂそれぞれの長さ）を規定したものである。
【００２１】
内カバー4はポリエステルなどからなる底面44と4つの側面45と4つの側面から上面側に折り返した返し部46とからなっており、4つの側面から延びた4つの返し部46は上面側で接合されていて袋状に一体化されている。そして、返し部で囲まれた部分を除いた部分だけが上方に開口している。その内カバー4に三次元立体構造網状体5を変形させながら差込み、内カバーを装着した状態にすることができる。
【００２２】
上記の構成で寝具用マットを利用する場合、3つ折りされている寝具用マットを展開し、フローリング、畳、ベッド、蒲団の上などに載置して利用する。本発明のマットを洗いたい時には、外カバー2の収容部13に設けられたファスナー15を開き、クッション体3をファスナーの開口部を通過できるように折り曲げながら取り出す。三次元立体構造網状体5を変形させながら内カバーを外し、それぞれを洗濯又は水洗いする。そして、乾燥後は逆の方法で元に戻す。
【００２３】
また、クッション体3の方向を上下左右に入れ替えたり、収容部の位置を交換（例えば、頭部から脚部など）したい場合にも同様の方法で、簡単に入れ替え作業を行なうことが出来る。本発明ではクッション体の一面のみに内カバーで覆われない部分があるので、クッション体3の内カバーで覆われている側（底面）を上にして使用したり、下にして使用したりすることで、利用者の通気度の好みによって、様々に入れ替えや交換を選択した活用を行なうことが出来る。
【００２４】
加えて、本発明では三次元立体構造網状体が内カバーに覆われているので、線条体ループの端部が直に体に触れることがなく使用時に皮膚を刺激してしまうこともないし、なおかつ、クッション体は三次元立体構造網状体のみであるので適度な弾性力を発揮した快適な寝具用マットとすることができた。
【００２５】
以上の構成とすることで、簡単な構成で通気性もほとんど犠牲にすることなく、寝心地が良く、使い勝手が向上した寝具用マットの提供が可能となった。
【図面の簡単な説明】
【００２６】
【図１】は本発明で用いられる寝具用マットの全体図。
【図２】は図1の内部を説明するための図である。
【図３】は本発明のクッション体（三次元立体構造網状体と内カバー）の図。
【図４】は図3の底面図である。
【符号の説明】
【００２７】
1    寝具用マット
13    収容部（袋）
15    ファスナー
16    連結片
2    外カバー
3             
クッション体
31      クッション体裏面
32      クッション体表面
4    内カバー
41    糸1
42    糸2
43             
隙間
44             
底面
45    側面
46    返し部
5    三次元立体構造網状体
51    線条体ループ
【図１】
2014133047.tif 000003
【図２】
2014133047.tif 000004
【図３】
2014133047.tif 000005
【図４】
2014133047.tif 000006